(57)【特許請求の範囲】
【請求項１】
側枠部材と横枠部材とからなる構造枠体の表面もしくは裏面に開口部を形成し、当該開口部に所定の隙間を隔ててパネル要素を取り付けるための厚み調整部材を取り付けて前記当該厚み調整部材にパネル要素を取り付けてなるパネルであって、
前記厚み調整部材に、前記構造枠体の開口部に取り付けるための取付部と、当該取付部から所定の隙間を隔てて前記パネル要素を取り付けるための第二の開口部とを設けたパネル。
【請求項２】
前記厚み調整部材の第二の開口部を、当該厚み調整部材の取り付け状態において構造枠体の開口部と正面視重なり合う位置に設けた請求項１記載のパネル。
【請求項３】
前記構造枠体の開口部に取り付けた厚み調整部材の離脱を防止する固定部を設けた請求項１又は２記載のパネル。
【請求項４】
前記厚み調整部材および固定部を有する固定部材を取り付けた状態で、厚み調整部材と固定部材とを面一に揃えた請求項３記載のパネル。
【請求項５】
側枠部材と横枠部材とからなる構造枠体の表面もしくは裏面に形成された開口部に所定の隙間を隔ててパネル要素を取り付けるための厚み調整部材であって、
前記構造枠体の開口部に取り付けるための取付部と、当該取付部から所定の隙間を隔てて前記パネル要素を取り付けるための第二の開口部とを設けた厚み調整部材。
【請求項６】
前記第二の開口部を、取り付け状態において構造枠体の開口部と正面視重なり合う位置に設けた請求項５記載の厚み調整部材。
【請求項７】
前記構造枠体の開口部に取り付けた状態でその構造枠体からの離脱を防止する固定部を設けた請求項５又は６記載の厚み調整部材。
【請求項８】
前記構造枠体の開口部に取り付けた状態でその構造枠体からの離脱を防止する固定部を有する固定部材とともに前記構造枠体の開口部に取り付けられるものであって、そのパネル要素取付面側を固定部材のパネル要素取付面側と面一に揃えた請求項５又は６記載の厚み調整部材。
【発明の詳細な説明】
【０００１】
【発明の属する技術分野】
本発明は、可動間仕切を構成するパネルに関するものである。
【０００２】
【従来の技術】
例えば、オフィス等で作業空間を仕切るものとして、複数枚のパネルを連結させて構成する可動間仕切などが存在する。この可動間仕切を構成するパネルとしては、パネルの骨格を形成する構造枠体と、この構造枠体の表裏両面の略全域を覆うパネル要素とを具備してなるものが挙げられる。
【０００３】
そして、このパネルをオフィス内で使用する場合、種々の使用態様に合わせて異なる厚み寸法のものを選択して利用するのが一般的である。例えば、パネルの配線機能を利用してオフィス内に配線を張り巡らしたい場合には、構造枠体とパネル要素間に形成される空間を配線空間として利用するべくパネルの厚み寸法を比較的厚いタイプのものにする一方、オフィスの省スペース化を図る場合には、その厚み寸法を比較的薄いタイプのものを使用する場合がある。
【０００４】
【発明が解決しようとする課題】
ところで、一枚のパネルにおいて部分的もしくは表裏にその厚み寸法に違いを持たせ、様々な使用態様に柔軟に対応させたいという要望がある。具体例を挙げると、対面配置させた机間にパネルを介在させて使用する際に、机の天板下に位置するパネルの下端部側に配線機能を付与すべく比較的厚みを有する構成とし、天板上に位置する上端部側の作業スペースを拡大するために薄くしたいなどの場合や、表裏のいずれか一方にのみ配線機能を付与すべく厚み寸法を大きくする場合がある。
【０００５】
一方、従来、異なる厚み寸法のパネルを各種構成する際には、各種厚み寸法の異なる構造枠体を数種類用意し、これら構造枠体にパネル要素のみ共通のものを装着するようにしている。しかしながら、このような構成であると、比較的大型で生産及び保管上の負担が大きい構造枠体において厚みの異なるものが各種必要となり、生産上の負担やコストが増大するだけでなく、常時、工場内に数種類を在庫しておかねばならないため専用の在庫スペースが必要となるなど、種々の負担が製造者側に生じるものであった。また、現場で簡単に使用者の要望に合わせて厚み変更できない等、仕様変更や要求に対し柔軟に対応できないという不具合もあった。
【０００６】
そこで、本発明は上記課題に着目して、構造枠体やパネル要素などに変更を加えることなく、部分的若しくは全体的にパネルの厚みを変更できるように構成し、様々な使用態様に柔軟に対応し得るようにしたものである。
【０００７】
【課題を解決するための手段】
すなわち、本発明は上記課題を解決するために、本来、パネル要素を取り付け用として設けられた構造枠体の開口部に厚み調整部材を取り付け、この厚み調整部材にパネル要素を取り付けるようにしたものである。
【０００８】
このように厚み調整部材を取り付けるようにすることによって部分的にパネルの厚みを変更できるようにし、また、構造枠体の開口部に厚み調整部材を取り付けるようにしているので、別途新たに厚み調整部材を取り付けるための取付部を設ける必要がなく、より簡単に構造枠体を設けることができるようになる。
【０００９】
また、厚み調整部材の第二の開口部を、当該厚み調整部材の取り付け状態において構造枠体の開口部と正面視重なり合う位置に設け、より好ましくは、正面視において構造枠体の開口部と厚み調整部材の第二の開口部とを重なる位置に設けるようにする。
【００１０】
このように構成することによって、正面視におけるパネル要素の取り付け位置を変更することなくパネルを取り付けることができるようになる。
【００１１】
また、構造枠体の開口部に取り付けた厚み調整部材を構造枠体から離脱しないようにする固定部を設けるようにする。
【００１２】
このように固定部を設けるようにすることによって、重いパネル要素を取り付けた場合であっても、その厚み調整部材の離脱を防止することができるようになる。
【００１３】
更に、厚み調整部材および固定部を有する固定部材を取り付けた状態で、厚み調整部材と固定部材とのパネル要素取付面側を面一に揃えて構成する。
【００１４】
すなわち、構造枠体の開口部に厚み調整部材を取り付けた場合、パネル要素の取り付け部分における接触面積が小さくなり、パネル要素の撓みやがたつきを生じて取り付け状態が不安定になる可能性がある。そこで、このような取り付け状態をより安定させるために、厚み調整部材と固定部材とを面一にしてパネル要素に接触しうるようにしている。
【００１５】
【発明の実施の形態】
以下、本発明の一実施例について図面を参照して説明する。
【００１６】
この実施形態におけるパネル１０１は、図１及び図２に示すように、その骨格を形成する構造枠体２と、この構造枠体２の表裏に着脱可能に装着されるパネル要素３と、この構造枠体２の上端部に取り付けられる笠木１０４と、構造枠体２の側端面に取り付けられるカバー１０５とを具備してなるものである。そして、本実施形態のパネル１０１は、構造枠体２とパネル要素３とによって囲まれる内部空間を配線類を収納し得る配線空間Ｓとしている。
【００１７】
このような構成のパネル１０１において、本実施形態では、表裏の厚み寸法を部分的に異ならせることができるようにしている。具体的には、厚み調整部材４を構造枠体２に取り付けることにより、例えば、パネル１０１の下半部１０６ａ側の厚み寸法を上半部１０６ｂ側の厚み寸法よりも厚いものにし、更に、使用態様に応じてパネル１０１の表面と裏面の厚み寸法を違えられるようにしている。
【００１８】
以下、各部の構成について説明する。
【００１９】
構造枠体２は、パネル１０１の側端面を形成する略鉛直方向に沿って配置した左右の側枠部材２１と、これら左右の側枠部材２１を連結する略水平方向に沿って配置した複数の横枠部材２２とを具備してなり、これら側枠部材２１と横枠部材２２とを枠体状に連結している。
【００２０】
側枠部材２１は、内部を中空に構成した金属製の角パイプ状のものであり、その表面および裏面にパネル要素３を取り付けるための取付部を構成する略長方形状の開口部２０を複数設けている。一方、横枠部材２２は、側枠部材２１と略等しい前後幅を有する断面略ロ字形の金属製角パイプ状のものである。そして、横枠部材２２の左右側端を側枠部材２１の内側面に溶接等の適宜の手段を用いて取り付けて正面視長方形状の枠体を構成している。
【００２１】
パネル要素３は、図２に示すように板金製の板状部材３１の内面に芯材３２を充填してなる長方形状のもので、このパネル要素３を上下方向に沿って複数枚取り付けることにより、構造枠体２の略全域を覆うように設けてある。これらのパネル要素３には、側枠部材２１に設けられた開口部２０に対応した位置に爪部３３を設けている。この爪部３３は、内面側にそれぞれ合成樹脂性の部材によって下向きの鉤状に構成したものであり、これら爪部３３を構造枠体２に設けられた開口部２０に取り付けることによりパネル要素３を着脱可能に装着できるようにしている。
【００２２】
一方、厚み調整部材４は、構造枠体２の開口部２０に着脱可能に取り付けられるようにしたものであり、この厚み調整部材４を、構造枠体２とパネル要素３との間に介在させ、更に、この厚み調整部材４にパネル要素３の爪部３３を引っ掛けて取り付けるようにしている。
【００２３】
このため、厚み調整部材４には、構造枠体２の開口部２０に取り付けるための第二の爪部４０を設け、更に、この第二の爪部４０を有する側の枠体接触面４１から側面視長方形状の開放空間Ｖを隔てて、パネル要素３を取り付けるためのパネル接触面４２を形成している。また、枠体接触面４１側に設けた第二の爪部４０の上方には、固定部たる凸部４１ａを設けており、厚み調整部材４を構造枠体２に取り付けた場合に、この凸部４１ａを開口部２０の上縁部分に掛るように取り付けて、厚み調整部材４の上方へ抜けを防止している。また、パネル接触面４２には、構造枠体２の開口部２０と略同一形状の第二の開口部４３を設けており、この厚み調整部材４を構造枠体２に取り付けた状態において正面視構造枠体２の開口部２０と重なり合う位置に第二の開口部４３を存在させている。また、このパネル接触面４２の上方には、パネル接触面４２と同一平面を形成するように連続した拡張面４４を設けおり、この拡張面４４によって、パネル要素３との接触面積を大きく確保してパネル要素３の撓みやがたつきをなくすとともに、このパネル要素３の内側に設けられる配線類を拡張面４４の内側の配線空間Ｓに保持できるようにしている。
【００２４】
次に、これら厚み調整部材４を利用して構造枠体２にパネル要素３を取り付ける場合について説明する。
【００２５】
まず、構造枠体２を形成するに際して、パネル要素３の爪部３３および厚み調整部材４の第二の爪部４０を取り付けられるような開口部２０を設け、このような開口部２０を有する側枠部材２１や横枠部材２２を枠組みして構造枠体２を構成する。そして、この構造枠体２の上下方向もしくは表裏に厚み寸法を大きくしてパネル要素３を取り付ける場合、そのパネル要素３の対応する領域の開口部２０に厚み調整部材４の第二の爪部４０を取り付け、その状態で凸部４１ａを開口部２０の上縁部分に嵌め込む。そして、このように凸部４１ａを開口部２０の上縁部分に嵌め込んで厚み調整部材４の上方への離脱を規制するとともに、このパネル要素３の取り付け領域における他の開口部２０にも厚み調整部材４を取り付け、厚み調整部材４の第二の開口部４３にパネル要素３の爪部３３を引っ掛けて取り付けるようにする。そして、このようにして取り付けられたパネル要素３を、パネル接触面４２の上方に設けた拡張面４４にも接触させ、パネル要素３と厚み調整部材４との接触面積を大きく確保してパネル要素３の撓みやがたつき等を防止し、取り付け状態を安定させるようにする。
【００２６】
なお、上記実施の形態においては、厚み調整部材４に固定部たる凸部４１ａを設けて厚み調整部材４の離脱を規制するようにしたが、以下に述べる厚み調整部材５および固定部材６を用いて厚み調整部材５の離脱を規制して固定するようにしても良い。
【００２７】
すなわち、第二の実施形態においては、上記第一の実施形態における厚み調整部材４と同様に、構造枠体２の開口部２０に取り付けられる爪部５０と、その爪部５０に対して開放空間Ｖを隔てて設けられた第二の開口部５３と設けている。また、この第二の開口部５３と構造枠体２の開口部２０とを略同一形状に構成するとともに、正面視重なり合う位置にそれぞれの開口部２０、５３を存在させるようにしている。そして、この実施の形態においては、第二の爪部５０を開口部２０の上下寸法よりも長く設定し、また、第二の爪部５０を開口部２０に挿入できるように細めの腰部５５を設けている。そして、この腰部５５と開口部２０との隙間を埋めるための固定部たる凸部６１ａを有する固定部材６を厚み調整部材５に取り付けられるようにしている。この固定部材６は、厚み調整部材５の側壁５６に設けた孔部５７に対して回転自在に取り付けられるようにしたものであり、この孔部５７に固定部材６の腕部６２を回転自在に取り付け、この腕部６２とともに固定部材６を回転させることによって凸部６１ａを腰部５５と開口部２０との隙間に挟み込むようにしている。そして、この凸部６１ａを隙間に挟み込んだ状態に維持できるように、厚み調整部材５の側壁５６上部に凹部５８を設けるとともに、この腕部６２に突起６２ａを設け、この突起６２ａを弾性的に凹部５８の内側に位置させて固定部材６の取り付け状態を維持させるようにしている。そして、このように固定部材６を厚み調整部材５に取り付けた状態で、その厚み調整部材５と固定部材６とをパネル要素３に接触し得るように面一に構成し、これによってパネル要素３の撓みやがたつき等を防止するようにしている。
【００２８】
このように第一および第二の実施形態によれば、例えば、対面配置させた机間にパネル１０１を介在させて使用する際に、机の天板下に位置するパネル１０１の下半部１０６ａ側には配線機能を付与し、天板上に位置する上半部１０６ｂ側は天板面の作業スペースを拡大したい場合や、対面配置させた一方の面のみ厚み寸法を大きく設定したい場合に、該当の部分に厚み調整部材４、５を取り付けてその部分のパネル要素３の厚み寸法を変更することができる。
【００２９】
また、構造枠体２の開口部２０と厚み調整部材４、５の第二の開口部４３、５３とを、正面視において重なり合うように位置させることによって、パネル要素３を構造枠体２からそのまま厚み方向に移動させて取り付けることができる。
【００３０】
更に、厚み調整部材４、５を取り付ける場合、構造枠体２から離脱しないようにした凸部４１ａ、６１ａを設けるようにしたので、比較的重いパネル要素３を取り付けた場合であっても厚み調整部材４、５の離脱を防止することができる。
【００３１】
また、第二の実施形態のように分離タイプの固定部材６を取り付けた状態で厚み調整部材５と固定部材６とをパネル要素３に接触し得るように面一に構成したので、パネル要素３の撓みやがたつき等を少なくして取り付け状態を安定させることができるようになる。
【００３２】
なお、本発明は上記実施の形態に限定されることなく、種々変更することができる。すなわち、上記実施の形態においては、構造枠体２の開口部２０に対して一つの厚み調整部材４、５を取り付けるようにしたが、これに限らず、複数の開口部２０に対して一つの厚み調整部材を取り付けるようにしても良い。また、第二の開口部４３、５３の形状についても、構造枠体２の開口部２０と略同じ形状に限らず、パネル要素３の爪部３３を取り付け可能な形状であれば、種々の形状を採用することができ、その他の構成についても本発明の趣旨を逸脱しない範囲で種々変形が可能である。
【００３３】
【発明の効果】
本発明では、パネル要素を取り付けるための構造枠体の開口部に厚み調整部材を取り付け、この厚み調整部材に第二の開口部を設けてこの部分にパネル要素を取り付けるようにしたので、部分的にパネルの厚みを変更することができる。また、構造枠体の開口部を利用して厚み調整部材を取り付けるようにしたので、別途新たに厚み調整部材を取り付ける取付部を設ける必要がなく、より簡単にパネルの厚み調整を行なうことができる。
【図面の簡単な説明】
【図１】本発明の第一の実施形態におけるパネルを示す全体斜視図。
【図２】同分解斜視図。
【図３】同厚み調整部材の取り付け状態における中央断面図。
【図４】同厚み調整部材を示す図。
【図５】本発明の第二の実施形態における厚み調整部材を示す図。
【図６】第二の実施形態における固定部材を示す図。
【図７】第二の実施形態における厚み調整部材および固定部材の取付状態を示す図。
【符号の説明】
１・・・パネル
２・・・構造枠体
３・・・パネル要素
４、５・・・厚み調整部材
６・・・固定部材
Ｖ・・・隙間
２０・・・開口部
２１・・・側枠部材
２２・・・横枠部材
４０、５０・・・取付部（第二の爪部）
４１ａ、６１ａ・・・固定部（凸部）
４３、５３・・・第二の開口部
【図１】
0004753507.tif 000002
【図２】
0004753507.tif 000003
【図３】
0004753507.tif 000004
【図４】
0004753507.tif 000005
【図５】
0004753507.tif 000006
【図６】
0004753507.tif 000007
【図７】
0004753507.tif 000008